(57)【要約】  本明細書の教示の一態様では、ソースセル（２２−１）に関連付けられた無線ネットワークノード（２０）は、ターゲットセル（２２−２）へのハンドオーバが行われるべき無線デバイス（１６）にサイドリンク設定情報を提供する。その情報はターゲットセルに関連付けられたサイドリンク同期およびリソース設定を示し、無線デバイスはターゲットセルのサイドリンク同期およびリソース設定に基づいてサイドリンク通信を行う。ターゲットセルに関連付けられたサイドリンクリソースおよびタイミング情報を受信することで、無線デバイスは、依然としてセルラ的意味でソースセルに担当されている間においても、ターゲットセルのリソースおよびタイミングを用いてサイドリンク通信を行うことができる。したがって、無線デバイスは、ソースセルからターゲットセルへの無線デバイスのセルラハンドオーバが完了したか否かに関わらず、ターゲットセルに関連付けられたサイドリンクタイミングおよびリソースを用いてサイドリンク通信を始めるかまたは再開することができる。【選択図】図２
2019507979.tif 000002
【特許請求の範囲】
【請求項１】
無線通信ネットワーク（１０）において動作するよう構成された無線デバイス（１６）における動作方法（４００）であって、前記方法（４００）は、
前記無線通信ネットワーク（１０）の第２セル（２２−２）についてのサイドリンク設定情報を受信すること（４０２）であって、前記サイドリンク設定情報が前記第２セル（２２−２）に関連付けられたサイドリンクリソースおよびサイドリンクタイミングを示す、受信すること（４０２）と、
前記無線通信ネットワーク（１０）の第１セル（２２−１）から前記第２セル（２２−２）への前記無線デバイス（１６）のセルラハンドオーバを示すハンドオーバシグナリングを受信すること（４０４）と、それに応じて：
前記第２セル（２２−２）に関するセルラ同期を取得することを含む、前記第２セル（２２−２）に関するセルラハンドオーバプロセスを実行し（４０８）、
前記第２セル（２２−２）に関するサイドリンクタイミング同期を取得することを含む、前記第２セル（２２−２）に関するサイドリンク同期プロセスを実行し（４１０）、前記サイドリンク同期プロセスを介して前記第２セル（２２−２）に関してサイドリンク同期が得られると、かつ、前記セルラハンドオーバプロセスが完了したか否かに関わらず、前記第２セル（２２−２）に関連付けられた前記サイドリンクリソースおよび前記サイドリンクタイミングを用いてサイドリンク通信を再開または開始することと、を含む方法（４００）。
【請求項２】
前記第２セル（２２−２）に関連付けられた前記サイドリンクリソースおよび前記サイドリンクタイミングを用いて前記サイドリンク通信を再開または開始することは、前記第１セル（２２−１）に関連付けられたサイドリンクリソースおよびサイドリンクタイミングに従い以前に行われたサイドリンク通信を再開することを含む請求項１に記載の方法（４００）。
【請求項３】
前記第２セル（２２−２）における前記サイドリンクタイミングは、前記第２セル（２２−２）に関するセルラ同期のために用いられるダウンリンクタイミング基準とは異なるサイドリンクタイミング基準を用い、前記サイドリンク同期プロセスは前記サイドリンクタイミング基準を用い、前記セルラ同期プロセスは前記ダウンリンクタイミング基準を用いる請求項１または２に記載の方法（４００）。
【請求項４】
前記サイドリンクタイミング基準はグローバルナビゲーションサテライトシステム（ＧＮＳＳ）のタイミング基準を含み、前記ダウンリンクタイミング基準は前記第２セル（２２−２）において伝送されるひとつ以上のダウンリンク同期信号を含む請求項３に記載の方法（４００）。
【請求項５】
前記第２セル（２２−２）についての前記サイドリンク設定情報を受信すること（４０２）は、前記第１セル（２２−１）とのセルラ接続を介して前記第２セル（２２−２）についての前記サイドリンク設定情報を受信することを含む請求項１から４のいずれか一項に記載の方法（４００）。
【請求項６】
無線通信ネットワーク（１０）において動作するよう構成された無線デバイス（１６）であって、前記無線デバイス（１６）は、
前記無線通信ネットワーク（１０）においてセルラ接続を介して無線ネットワークノード（２０）と通信するよう、かつ、サイドリンク接続を介して他の無線デバイス（１６）またはノード（７０）と通信するよう構成された通信回路（４０）と、
前記通信回路（４０）に動作可能に関連付けられた処理回路（４２）と、を備え、
前記処理回路（４２）は、
前記無線通信ネットワーク（１０）の第２セル（２２−２）についてのサイドリンク設定情報を受信することであって、前記サイドリンク設定情報が前記第２セル（２２−２）に関連付けられたサイドリンクリソースおよびサイドリンクタイミングを示す、受信することと、
前記無線通信ネットワーク（１０）の第１セル（２２−１）から前記第２セル（２２−２）への前記無線デバイス（１６）のセルラハンドオーバを示すハンドオーバシグナリングを受信することと、それに応じて：
前記第２セル（２２−２）に関するセルラ同期を取得することを含む、前記第２セル（２２−２）に関するセルラハンドオーバプロセスを実行し、
前記第２セル（２２−２）に関するサイドリンクタイミング同期を取得することを含む、前記第２セル（２２−２）に関するサイドリンク同期プロセスを実行し、前記サイドリンク同期プロセスを介して前記第２セル（２２−２）に関してサイドリンク同期が得られると、かつ、前記セルラハンドオーバプロセスが完了したか否かに関わらず、前記第２セル（２２−２）に関連付けられた前記サイドリンクリソースおよび前記サイドリンクタイミングを用いてサイドリンク通信を再開または開始することと、 を行うよう構成される無線デバイス（１６）。
【請求項７】
前記処理回路（４２）は、前記ハンドオーバシグナリングを受信する前に、前記第１セル（２２−１）に関連付けられたサイドリンクタイミングおよびサイドリンクリソースに従う前記サイドリンク通信を実行し、かつ、前記第２セル（２２−２）に関連付けられた前記サイドリンクタイミングおよび前記サイドリンクリソースに従う前記サイドリンク通信を再開するよう構成される請求項６に記載の無線デバイス（１６）。
【請求項８】
前記第２セル（２２−２）における前記サイドリンクタイミングは、前記第２セル（２２−２）に関するセルラ同期のために用いられるダウンリンクタイミング基準とは異なるサイドリンクタイミング基準を用い、前記処理回路（４２）は、前記サイドリンクタイミング基準を用いて前記サイドリンク同期プロセスを実行し、かつ、前記ダウンリンクタイミング基準を用いて前記セルラ同期プロセスを実行するよう構成される請求項６または７に記載の無線デバイス（１６）。
【請求項９】
前記サイドリンクタイミング基準はグローバルナビゲーションサテライトシステム（ＧＮＳＳ）のタイミング基準を含み、前記ダウンリンクタイミング基準は前記第２セル（２２−２）において伝送されるひとつ以上のダウンリンク同期信号を含む請求項８に記載の無線デバイス（１６）。
【請求項１０】
前記処理回路（４２）は、前記無線デバイス（１６）と前記第１セル（２２−１）とのセルラ接続を介して前記第２セル（２２−２）についての前記サイドリンク設定情報を受信するよう構成される請求項６から９のいずれか一項に記載の無線デバイス（１６）。
【請求項１１】
無線通信ネットワーク（１０）において動作するよう構成された無線ネットワークノード（２０）における動作方法（５００）であって、前記方法（５００）は、
前記無線通信ネットワーク（１０）の第２セル（２２−２）であって前記無線ネットワークノード（２０）によって設けられる第１セル（２２−１）の隣の第２セル（２２−２）についてのサイドリンク設定情報を取得すること（５０２）であって、前記サイドリンク設定情報が前記第２セル（２２−２）についてのサイドリンクリソース設定と前記第２セル（２２−２）についてのサイドリンク同期設定とを示す、取得すること（５０２）と、
前記第１セル（２２−１）から前記第２セル（２２−２）への前記無線デバイス（１６）のセルラハンドオーバの前に、またはそれに併せて、前記第１セル（２２−１）とのセルラ接続を有する無線デバイス（１６）に前記サイドリンク設定情報を送信すること（５０４）で、前記無線デバイス（１６）が前記第２セル（２２−２）に関するサイドリンクタイミング同期を取得することを可能とすることと、を含む方法（５００）。
【請求項１２】
前記無線デバイス（１６）に前記サイドリンク設定情報を送信すること（５０４）は、前記第２セル（２２−２）によって用いられるダウンリンクタイミング基準とは異なるサイドリンクタイミング基準を前記第２セル（２２−２）が用いることを示すものを送信することを含む請求項１１に記載の方法（５００）。
【請求項１３】
前記無線デバイス（１６）に前記サイドリンク設定情報を送信すること（５０４）は、サイドリンクタイミングのためにグローバルナビゲーションサテライトシステム（ＧＮＳＳ）のタイミング基準を前記第２セル（２２−２）が用いることを示すものを送信することを含む請求項１１または１２に記載の方法（５００）。
【請求項１４】
前記サイドリンク設定情報を送信することに続いて、前記セルラ接続を介して、前記無線デバイス（１６）にセルラハンドオーバシグナリングを送信することをさらに含む請求項１１から１３のいずれか一項に記載の方法（５００）。
【請求項１５】
前記サイドリンク設定情報を送信すること（５０４）は、前記無線デバイス（１６）に向けて無線リソースコントロール（ＲＲＣ）シグナリングを送信することを含む請求項１１から１４のいずれか一項に記載の方法（５００）。
【請求項１６】
前記無線デバイス（１６）に前記サイドリンク設定情報を送信すること（５０４）は、前記無線デバイス（１６）の前記セルラハンドオーバを開始するという決定および前記無線デバイス（１６）がハンドオーバを行う蓋然性が高いという判定のうちの少なくともひとつに応じて、前記サイドリンク設定情報を送信することを含む請求項１１から１５のいずれか一項に記載の方法（５００）。
【請求項１７】
前記無線デバイス（１６）の現在位置、前記無線デバイス（１６）の移動の向き、およびひとつ以上のセル（２２）に関する前記無線デバイス（１６）における受信条件のうちのいずれかひとつまたは複数の関数として、前記無線デバイス（１６）がハンドオーバを行う蓋然性を判定することをさらに含む請求項１６に記載の方法（５００）。
【請求項１８】
前記第２セル（２２−２）についての前記サイドリンク設定情報を取得すること（５０２）は、前記無線通信ネットワークの他のノード（２０、２４）から前記サイドリンク設定情報を受信することを含む請求項１１から１７のいずれか一項に記載の方法（５００）。
【請求項１９】
前記他のノード（２０、２４）は前記第２セル（２２−１）に関連付けられた無線ネットワークノード（２０）である請求項１８に記載の方法（５００）。
【請求項２０】
無線通信ネットワーク（１０）において動作するよう構成された無線ネットワークノード（２０）であって、前記無線ネットワークノード（２０）は、
無線デバイス（１６）と通信するよう構成された送受信回路を含む通信回路（３０）と、
前記通信回路（３０）に動作可能に関連付けられた処理回路（３２）と、を備え、
前記処理回路（４２）は、
前記無線通信ネットワーク（１０）の第２セル（２２−２）であって前記無線ネットワークノード（２０）によって設けられる第１セル（２２−１）の隣の第２セル（２２−２）についてのサイドリンク設定情報を取得することであって、前記サイドリンク設定情報が前記第２セル（２２−２）についてのサイドリンクリソース設定と前記第２セル（２２−２）についてのサイドリンク同期設定とを示す、取得することと、
前記第１セル（２２−１）から前記第２セル（２２−２）への前記無線デバイス（１６）のセルラハンドオーバの前に、またはそれに併せて、前記第１セル（２２−１）とのセルラ接続を有する無線デバイス（１６）に前記サイドリンク設定情報を送信することで、前記無線デバイス（１６）が前記第２セル（２２−２）に関するサイドリンクタイミング同期を取得することを可能とすることと、を行うよう構成される無線ネットワークノード（２０）。
【請求項２１】
前記処理回路（３２）は、前記第２セル（２２−２）によって用いられるダウンリンクタイミング基準とは異なるサイドリンクタイミング基準を前記第２セル（２２−２）が用いることを示すものを送信することに少なくとも部分的に依存して、前記無線デバイス（１６）に前記サイドリンク設定情報を送信するよう構成される請求項２０に記載の無線ネットワークノード（２０）。
【請求項２２】
前記処理回路（３２）は、サイドリンクタイミングのためにグローバルナビゲーションサテライトシステム（ＧＮＳＳ）のタイミング基準を前記第２セル（２２−２）が用いることを示すものを送信することに少なくとも部分的に依存して、前記無線デバイス（１６）に前記サイドリンク設定情報を送信するよう構成される請求項２０または２１に記載の無線ネットワークノード（２０）。
【請求項２３】
前記処理回路（３２）は、前記サイドリンク設定情報を送信することに続いて、前記セルラ接続を介して、前記無線デバイス（１６）にセルラハンドオーバシグナリングを送信するよう構成される請求項２０から２２のいずれか一項に記載の無線ネットワークノード（２０）。
【請求項２４】
前記処理回路（３２）は、前記無線デバイス（１６）に向けて送信された無線リソースコントロール（ＲＲＣ）シグナリングを介して、前記サイドリンク設定情報を送信するよう構成される請求項２０から２３のいずれか一項に記載の無線ネットワークノード（２０）。
【請求項２５】
前記処理回路（３２）は、前記無線デバイス（１６）の前記セルラハンドオーバを開始するという決定および前記無線デバイス（１６）がハンドオーバを行う蓋然性が高いという判定のうちの少なくともひとつに応じて、前記無線デバイス（１６）に前記サイドリンク設定情報を送信するよう構成される請求項２０から２４のいずれか一項に記載の無線ネットワークノード（２０）。
【請求項２６】
前記処理回路（３２）は、前記無線デバイス（２５）の現在位置、前記無線デバイス（１６）の移動の向き、およびひとつ以上のセル（２２）に関する前記無線デバイス（１６）における受信条件のうちのいずれかひとつまたは複数の関数として、前記無線デバイス（１６）がハンドオーバを行う蓋然性を判定するよう構成される請求項２５に記載の無線ネットワークノード（２０）。
【請求項２７】
前記処理回路（３２）は、前記無線通信ネットワーク（１０）の他のノードから前記サイドリンク設定情報を受信することによって、前記第２セル（２２−２）についての前記サイドリンク設定情報を取得するよう構成される請求項２０から２６のいずれか一項に記載の無線ネットワークノード（２０）。
【請求項２８】
前記他のノードは前記第２セル（２２-２）に関連付けられた無線ネットワークノード（２０）である請求項２７に記載の無線ネットワークノード（２０）。
【請求項２９】
前記無線通信ネットワーク（１０）の第２セル（２２−２）についてのサイドリンク設定情報を受信することであって、前記サイドリンク設定情報が前記第２セル（２２−２）に関連付けられたサイドリンクリソースおよびサイドリンクタイミングを示す、受信することと、
前記無線通信ネットワーク（１０）の第１セル（２２−１）から前記第２セル（２２−２）への前記無線デバイス（１６）のセルラハンドオーバを示すハンドオーバシグナリングを受信することと、それに応じて：
前記第２セル（２２−２）に関するセルラ同期を取得することを含む、前記第２セル（２２−２）に関するセルラハンドオーバプロセスを実行し、
前記第２セル（２２−２）に関するサイドリンクタイミング同期を取得することを含む、前記第２セル（２２−２）に関するサイドリンク同期プロセスを実行し、前記サイドリンク同期プロセスを介して前記第２セル（２２−２）に関してサイドリンク同期が得られると、かつ、前記セルラハンドオーバプロセスが完了したか否かに関わらず、前記第２セル（２２−２）に関連付けられた前記サイドリンクリソースおよび前記サイドリンクタイミングを用いてサイドリンク通信を再開または開始することと、 を行うよう構成される無線デバイス（１６）。
【請求項３０】
さらに、請求項２から５のいずれか一項に記載の方法を実行するよう構成された請求項２９に記載の無線デバイス（１６）。
【請求項３１】
インストラクションを備えるコンピュータプログラムであって、該インストラクションは無線デバイス（１６）の少なくともひとつのプロセッサによって実行された場合、前記無線デバイス（１６）に請求項１から５のいずれか一項に記載の方法を実行させるコンピュータプログラム。
【請求項３２】
請求項３１に記載のコンピュータプログラムを含むキャリアであって、前記キャリアは電気信号、光学信号、無線信号、またはコンピュータ可読ストレージ媒体のうちのひとつであるキャリア。
【請求項３３】
前記無線通信ネットワーク（１０）の第２セル（２２−２）についてのサイドリンク設定情報を受信する手段であって、前記サイドリンク設定情報が前記第２セル（２２−２）に関連付けられたサイドリンクリソースおよびサイドリンクタイミングを示す、受信する手段と、
前記無線通信ネットワーク（１０）の第１セル（２２−１）から前記第２セル（２２−２）への前記無線デバイス（１６）のセルラハンドオーバを示すハンドオーバシグナリングを受信する手段と、
ハンドオーバシグナリングへ応答する手段と、を備え、
前記応答する手段は、
前記第２セル（２２−２）に関するセルラ同期を取得することを含む、前記第２セル（２２−２）に関するセルラハンドオーバプロセスを実行する手段と、
前記第２セル（２２−２）に関するサイドリンクタイミング同期を取得することを含む、前記第２セル（２２−２）に関するサイドリンク同期プロセスを実行する手段と、さらに、
前記サイドリンク同期プロセスを介して前記第２セル（２２−２）に関してサイドリンク同期が得られると、かつ、前記セルラハンドオーバプロセスが完了したか否かに関わらず、前記第２セル（２２−２）に関連付けられた前記サイドリンクリソースおよび前記サイドリンクタイミングを用いてサイドリンク通信を再開または開始する手段と、を含む無線デバイス（１６）。
【請求項３４】
請求項２から５のいずれか一項に記載の方法を実行する手段をさらに備える請求項３３に記載の無線デバイス（１６）。
【請求項３５】
前記無線通信ネットワーク（１０）の第２セル（２２−２）であって前記無線ネットワークノード（２０）によって設けられる第１セル（２２−１）の隣の第２セル（２２−２）についてのサイドリンク設定情報を取得することであって、前記サイドリンク設定情報が前記第２セル（２２−２）についてのサイドリンクリソース設定と前記第２セル（２２−２）についてのサイドリンク同期設定とを示す、取得することと、
前記第１セル（２２−１）から前記第２セル（２２−２）への前記無線デバイス（１６）のセルラハンドオーバの前に、またはそれに併せて、前記第１セル（２２−１）とのセルラ接続を有する無線デバイス（１６）に前記サイドリンク設定情報を送信することで、前記無線デバイス（１６）が前記第２セル（２２−２）に関するサイドリンクタイミング同期を取得することを可能とすることと、を行うよう構成される無線ネットワークノード（２０）。
【請求項３６】
請求項１２から１９のいずれか一項に記載の方法を実行するようさらに構成される請求項３５に記載の無線ネットワークノード（２０）。
【請求項３７】
インストラクションを備えるコンピュータプログラムであって、該インストラクションは無線ネットワークノード（２０）の少なくともひとつのプロセッサによって実行された場合、前記無線ネットワークノード（２０）に請求項１１から１９のいずれか一項に記載の方法を実行させるコンピュータプログラム。
【請求項３８】
請求項３７に記載のコンピュータプログラムを含むキャリアであって、前記キャリアは電気信号、光学信号、無線信号、またはコンピュータ可読ストレージ媒体のうちのひとつであるキャリア。
【請求項３９】
前記無線通信ネットワーク（１０）の第２セル（２２−２）であって前記無線ネットワークノード（２０）によって設けられる第１セル（２２−１）の隣の第２セル（２２−２）についてのサイドリンク設定情報を取得する手段であって、前記サイドリンク設定情報が前記第２セル（２２−２）についてのサイドリンクリソース設定と前記第２セル（２２−２）についてのサイドリンク同期設定とを示す、取得する手段と、
前記第１セル（２２−１）から前記第２セル（２２−２）への前記無線デバイス（１６）のセルラハンドオーバの前に、またはそれに併せて、前記第１セル（２２−１）とのセルラ接続を有する無線デバイス（１６）に前記サイドリンク設定情報を送信することで、前記無線デバイス（１６）が前記第２セル（２２−２）に関するサイドリンクタイミング同期を取得することを可能とする手段と、を備える無線ネットワークノード（２０）。
【請求項４０】
請求項１２から１９のいずれか一項に記載の方法を実行する手段をさらに備える請求項３９に記載の無線ネットワークノード（２０）。
【発明の詳細な説明】
【技術分野】
【０００１】
本発明は無線通信ネットワークにおける、ソースセルからターゲットセルへのものなどのセルラハンドオーバに関し、特に、サイドリンク通信を含むセルラハンドオーバに関する。
【背景技術】
【０００２】
「サイドリンク」という用語は、セルラインフラストラクチャを介した通信（アップリンクおよびダウンリンク）に対する、第三世代パートナーシッププロジェクト（３ＧＰＰ）無線アクセスネットワークにおけるデバイス間通信の直接無線リンクを指す。サイドリンクはまた、デバイスツーデバイス（またはＤ２Ｄ）リンクとも称される。「Ｖ２ｘ」という用語は「車両から全てへ」通信を表し、それは車両をメッセージソースまたは宛先として含む通信を包含する。Ｖ２ｘ通信は、各車両をエンドポイントとして含んでもよく、またはインフラストラクチャノードや他のタイプのデバイスと通信する車両を含んでもよい。「ＰＣ５」インタフェースは、ユーザ装置（ＵＥ）間のＶ２ｘ通信を行うために用いられる。これは、プロキシミティサービス（ＰｒｏＳｅ）Ｄ２Ｄ通信に参加する車両や他のノード、デバイス、システムタイプに組み込まれてもよい。興味のある読者はR3-150744 - ProSe Resource Coordination Across eNBs, Ericsson, R3-132277 - Mobility for D2D UEs, Ericsson, and 3GPP TS 36.423 Rel-13を参照すると、追加の内容を得ることができる。
【０００３】
３ＧＰＰ規格のリリース１２は、商用利用および公衆安全への利用の両方を目指して、ＬＴＥ規格を、Ｄ２Ｄやサイドリンク通信フィーチャへと拡張する。リリース１２  ＬＴＥにより可能とされるいくつかのアプリケーションは、デバイスディスカバリ、これはデバイスが近くの他のデバイスを検知することができるものである、と、デバイスＩＤおよびアプリケーションＩＤを運ぶディスカバリメッセージを報知しかつ検出することによる関連アプリケーションと、である。他のアプリケーションは、無線デバイス間で直接的に終端する物理チャネルに基づく直接通信からなる。ここで、「デバイス」という用語は、ＵＥまたはサイドリンク通信用に構成された基本的に任意の装置を意味する。
【０００４】
Ｄ２Ｄワークの潜在的な拡張のうちのひとつはＶ２ｘ通信のサポートからなり、それは車両や歩行者やインフラの間の直接通信の任意の組み合わせを含む。Ｖ２ｘ通信は、利用可能な場合、ネットワーク（ＮＷ）インフラを利用してもよいが、少なくとも基本的なＶ２ｘ接続性はカバレッジを欠く場合であっても可能であるべきである。ＬＴＥの規模経済のため、ＬＴＥベースのＶ２ｘインタフェースを提供することは経済的に有利でありうる。また、Ｖ２ｘ専用技術を用いる場合と比べて、ＮＷインフラ（Ｖ２Ｉ）およびＶ２ＰおよびＶ２Ｖ通信により、通信間のより緊密な統合が可能となるであろう。近くの図は、ＬＴＥベースの無線通信ネットワークにおける例示的なＶ２ｘシナリオを示す。
【０００５】
Ｖ２ｘ通信は非安全情報および安全情報の両方を運んでもよい。ここで、アプリケーションおよびサービスのそれぞれは、例えばレイテンシや信頼性やキャパシティなどに関する特定の要件集合に関連付けられてもよい。ＥＴＳＩは交通安全用に二種類のメッセージを定義した。協調認識メッセージ（ＣＡＭ）および分散型環境通報メッセージ（ＤＥＮＭ）。
【０００６】
ＣＡＭメッセージは、緊急車両を含む車両が、自身の存在および他の関連パラメータを報知形式で知らせることを可能とすることを意図している。そのようなメッセージは他の車両や歩行者やインフラを対象としており、そのアプリケーションによって取り扱われる。ＣＡＭメッセージはまた、通常の交通の安全運転に対する能動的な補助としても役に立つ。ＣＡＭメッセージの可用性は１００ｍｓごとに直説的にチェックされ、これにより大抵のメッセージについて、≦１００ｍｓという最大検出レイテンシ要件が生まれる。しかしながら、プレクラッシュ検出警告のレイテンシ要件は５０ｍｓである。
【０００７】
ＤＥＮＭメッセージはブレーキによるものなどのイベントによりトリガされるものであり、ＤＥＮＭメッセージの可用性も１００ｍｓごとにチェックされ、最大レイテンシの要件は≦１００ｍｓである。
【０００８】
ＣＡＭメッセージやＤＥＮＭメッセージのパッケージサイズは１００＋バイトから８００＋バイトの間で変動し、典型的なサイズは約３００バイトである。メッセージは近くの車両全てによって検出されることが想定されている。
【０００９】
ＳＡＥ（Society of the Automotive Engineers）はまた、ＤＳＲＣの基本安全メッセージ（ＢＳＭ）を定義し、その種々のメッセージサイズを併せて定義する。メッセージの重要性および緊急性にしたがい、ＢＳＭはさらに異なる複数の優先度へと分類される。
【００１０】
ＵＥモビリティ、すなわちセルラネットワーク内のセルラモビリティ、はＰＣ５リソースを用いるＵＥについてサポートされてもよい。そのようなＵＥがハンドオーバを行う場合、そのＵＥがそのサービングセルによって設定されたＰＣ５リソースは、その「ＲＲＣコンテキスト」（3GPP TS 36.423およびTS 36.331によって、ＲＲＣコンテキストＩＥとして定義される）においてソースｅＮＢに含まれ、X2 HANDOVER REQUESTメッセージでターゲットｅＮＢにシグナルされてもよい。ターゲットセルがＵＥに同じ無線リソースの集合を割り当てることが可能な場合、これによりＵＥがＰＣ５接続を失うことが防止される。しかしながら、本明細書において、セルラハンドオーバ中にサイドリンク通信における受け入れ不可なほど長い中断をＵＥが経験する可能性が依然としてあることが認識される。
【００１１】
典型的なＤ２Ｄシナリオでは、セルラモビリティと連携したＰＣ５同期は、典型的にはＵＥモビリティが高い例えばＶ２ｘと比べてモビリティ要件が厳重ではないので、問題にならないかもしれない。上述の通り、Rel-12以来３ＧＰＰにおいて規格化されてきたセルラスペクトルにおけるサイドリンク伝送（Ｄ２ＤまたはProSeとしても知られている）は、Ｖ２Ｘタイプのサービス用に適合可能である。3GPP Rel-12では、二つの異なる動作モードが３ＧＰＰにおいて規定されている。一方のモードでは、RRC_CONNECTEDモードにあるＵＥがＤ２Ｄリソースを要求し、ｅＮＢがPDCCH (DCI5)を介してまたは専用シグナリングを介してそれを与える。他方のモードでは、ＵＥは自律的に、PCell以外のキャリアでの伝送用のシステム情報ブロック（ＳＩＢ）シグナリングを介したまたはPCellでの伝送用の専用シグナリングを介した報知においてｅＮＢが提供する利用可能なリソースのプールのなかから伝送用のリソースを選択する。したがって、第１動作モードとは違って、第２動作モードはRRC_IDLEにあるＵＥによっても実行可能である。
【００１２】
本開示において認識される重要な問題は、Ｖ２ｘトラフィックがあるレイテンシ制約を伴うメッセージによって特徴付けられることである。ＵＥのセルラハンドオーバ中、多くの場合、ＵＥがセルラネットワークのシステム情報を読む必要があり、また、通信動作を回復することができる前にターゲットセルへの再同期およびＲＲＣ再設定を行う必要があるという事実のために、レイテンシが増大する。そのような動作は、セルラハンドオーバプロセスを実行することとみなされてもよい。セルラハンドオーバプロセスに伴うレイテンシは、Ｖ２ｘトラフィックレイテンシ制約に違反しうる。
【発明の概要】
【００１３】
本明細書の教示の一態様では、ソースセルに関連付けられた無線ネットワークノードは、ターゲットセルへのハンドオーバが行われるべき無線デバイスにサイドリンク設定情報を提供する。その情報はターゲットセルに関連付けられたサイドリンク同期およびリソース設定を示し、無線デバイスはターゲットセルのサイドリンク同期およびリソース設定に基づいてサイドリンク通信を行う。ターゲットセルに関連付けられたサイドリンクリソースおよびタイミング情報を受信することで、無線デバイスは、依然としてセルラ的意味でソースセルに担当されている間においても、ターゲットセルのリソースおよびタイミングを用いてサイドリンク通信を行うことができる。したがって、無線デバイスは、ソースセルからターゲットセルへの無線デバイスのセルラハンドオーバが完了したか否かに関わらず、ターゲットセルに関連付けられたサイドリンクタイミングおよびリソースを用いてサイドリンク通信を始めるかまたは再開することができる。
【００１４】
例示的な実施の形態では、無線通信ネットワークにおいて動作するよう構成された無線デバイスにおける動作方法は、デバイスが、第２セルのサイドリンク設定情報を受信することを含む。受信された情報は、第２セルに関連付けられたサイドリンクリソースおよびサイドリンクタイミングを示し、方法はさらに、デバイスが、第１セルから第２セルへの無線デバイスのセルラハンドオーバを示すハンドオーバシグナリングを受信することを含む。ハンドオーバシグナリングを受信することに応じて、デバイスは、第２セルに関するセルラ同期を取得することを含む、第２セルに関するセルラハンドオーバプロセスを実行し、第２セルに関するサイドリンク同期プロセスを実行する。サイドリンク同期プロセスは、第２セルに関するサイドリンクタイミング同期を取得することを含み、方法はさらに、無線デバイスが、サイドリンク同期プロセスを介して第２セルに関してサイドリンク同期が得られると、かつ、セルラハンドオーバプロセスが完了したか否かに関わらず、第２セルに関連付けられたサイドリンクリソースおよびサイドリンクタイミングを用いてサイドリンク通信を再開または開始することを含む。
【００１５】
関連する例示的な実施の形態では、無線通信ネットワークにおいて動作するよう構成された無線デバイスは通信回路と処理回路とを含む。通信回路は、無線通信ネットワークにおいてセルラ接続を介して無線ネットワークノードと通信するよう、かつ、サイドリンク接続を介して他の無線デバイスまたはノードと通信するよう構成される。
【００１６】
処理回路は通信回路に動作可能に関連付けられ、処理回路は、無線通信ネットワークの第２セルについてのサイドリンク設定情報を受信することであって、サイドリンク設定情報が第２セルに関連付けられたサイドリンクリソースおよびサイドリンクタイミングを示す、受信することと、無線通信ネットワークの第１セルから第２セルへの無線デバイスのセルラハンドオーバを示すハンドオーバシグナリングを受信することと、を行うよう構成される。さらに、処理回路は、ハンドオーバシグナリングを受信することに応じて、セルラハンドオーバプロセスおよびサイドリンク同期プロセスを実行するよう構成される。
【００１７】
セルラハンドオーバプロセスは第２セルに関して実行され、第２セルに関するセルラ同期を取得することを含む。サイドリンク同期プロセスは第２セルに関して実行され、第２セルに関するサイドリンクタイミング同期を取得することを含む。さらに、処理回路は、サイドリンク同期プロセスを介して第２セルに関してサイドリンク同期が得られると、かつ、セルラハンドオーバプロセスが完了したか否かに関わらず、第２セルに関連付けられたサイドリンクリソースおよびサイドリンクタイミングを用いてサイドリンク通信を再開または開始するよう構成される。すなわち、サイドリンク同期プロセスはセルラ同期プロセスが完了する前に完了してもよく、サイドリンク同期プロセスを介してサイドリンク同期を取得することにより、無線デバイスは、セルラハンドオーバプロセスが完了する前に、第２セルに関連付けられたリソースおよびタイミングを用いてサイドリンク通信を再開または開始することができる。
【００１８】
他の例示的な実施の形態では、無線通信ネットワークにおいて動作するよう構成された無線ネットワークノードにおける動作方法は、無線ネットワークノードによって設けられる第１セルの隣の第２セルについてのサイドリンク設定情報を取得することを含む。サイドリンク設定情報は第２セルについてのサイドリンクリソース設定と第２セルについてのサイドリンク同期設定とを示し、方法はさらに、第１セルから第２セルへの無線デバイスのセルラハンドオーバの前に、またはそれに併せて、第１セルとのセルラ接続を有する無線デバイスにサイドリンク設定情報を送信することを含む。無線デバイスにサイドリンク設定情報を提供することで、無線デバイスは第２セルに関するサイドリンクタイミング同期を取得することができる。
【００１９】
関連する例示的な実施の形態では、無線通信ネットワークにおいて動作するよう構成された無線ネットワークノードは通信回路と処理回路とを含む。通信回路は、少なくとも無線デバイスと通信するよう構成された送受信回路を含み、処理回路は、通信インタフェース回路と動作可能に関連付けられ、多くの動作を行うよう構成される。特定の例では、処理回路は、無線ネットワークノードによって設けられる第１セルの隣の第２セルについてのサイドリンク設定情報を取得することであって、サイドリンク設定情報が第２セルについてのサイドリンクリソース設定と第２セルについてのサイドリンク同期設定とを示す、取得することを行うよう構成される。処理回路はさらに、第１セルから第２セルへの無線デバイスのセルラハンドオーバの前に、またはそれに併せて、第１セルとのセルラ接続を有する無線デバイスにサイドリンク設定情報を送信するよう構成される。サイドリンク設定情報により、無線デバイスは第２セルに関するサイドリンクタイミング同期を取得することができる。
【００２０】
無論、本発明は上述のフィーチャや利点に限定されない。むしろ、当業者は、以下の詳細な説明を読み、添付の図面を見ることで、追加的なフィーチャや利点を認識するであろう。
【図面の簡単な説明】
【００２１】
【図１】無線通信ネットワークのある実施の形態のブロック図である。
【図２】サイドリンク通信が関係するセルラネットワークにおけるハンドオーバに関連付けられたシグナリングのある実施の形態の信号フロー図である。
【図３】無線デバイスと無線ネットワークノードとコアネットワークノードとを含むいくつかの通信ノードの例示的な実施の形態のブロック図である。
【図４】サイドリンク通信が関係する無線デバイスのセルラハンドオーバについての、無線デバイスにおける処理方法のある実施の形態の論理フロー図である。
【図５】サイドリンク通信が関係する無線デバイスのセルラハンドオーバについての、無線ネットワークノードにおける処理方法のある実施の形態の論理フロー図である。
【発明を実施するための形態】
【００２２】
非限定的な例として、図１は、ロングタームエボリューション（ＬＴＥ）規格に基づくまたは他の第三世代パートナーシッププロジェクト（３ＧＰＰ）規格に基づくワイドエリアセルラ無線ネットワークなどの、無線通信ネットワークのある実施の形態を示す。
【００２３】
ネットワーク１０は、無線アクセスネットワークまたはＲＡＮ１２と、コアネットワークまたはＣＮ１４と、を含む。ネットワーク１０は、基本的に任意の数の無線デバイス１６（図ではＷＤ）を互いに通信可能に接続し、また、ひとつ以上の外部ネットワーク１８を通じて到達可能な任意の数の他のシステムやデバイスと通信可能に接続する。例としてＷＤ１６（１６−１〜１６−６）を六つだけ示しているが、ネットワーク１０において潜在的により多くのＷＤ１６が動作していてもよいことは理解されるべきである。また、ＷＤ１６は全てが同じタイプである必要はなく、また同じ機能を有するものでなくてもよいことは理解されるべきである。例示的なＷＤ１６は、スマートフォンやフィーチャフォンや無線コンピュータや通信ネットワークアダプタやドングルやマシンタイプ通信（ＭＴＣ）デバイス（Ｍ２Ｍデバイスとも称される）のうちのいずれかまたはいくつかを含む。３ＧＰＰの用語を用いるなら、ＷＤ１６はＵＥまたは「ユーザ装置」と称されてもよい。
【００２４】
ＲＡＮ１０は、ＬＴＥコンテキストにおけるｅＮＢなどの複数の基地局２０を含む。基地局は無線ネットワークノードの一種であり、より一般的には無線ネットワークノード２０と称される。図では、各無線ネットワークノード２０はセル２２を提供する。例えば、ネットワークノード２０−１はセル２２−１を提供する、等である。一例として、セル２２は、対応する地理的エリアに亘るネットワークカバレッジを提供するために用いられる特定の通信リソース、例えば特定の周波数および／または時間、を備えるものとして扱われてもよい。無論、重なり合うセル２２があってもよく、所与のネットワークノード２０が複数のセル２２を提供してもよい。
【００２５】
サイドリンク通信に割り当てられたリソース、例えば無線リソース、は、アップリンク（ＵＬ）のセルラ無線リソースに関連付けられてもよい。そのようなリソースを用いてサイドリンク通信を行うために、所与のＷＤ１６は、対応するサイドリンクリソース設定とサイドリンク同期設定とを知らなければならない。例えば、ＷＤ１６−６はセル２２−２に関連付けられたサイドリンクタイミングおよびリソース設定を用いてサイドリンク通信を行ってもよく、一方、ＷＤ１６−１はセル２２−１に関連付けられたサイドリンクタイミングおよびリソース設定を用いてサイドリンク通信を行ってもよい。そのようなサイドリンク通信が図に示される他のＷＤ１６を含みうること、または明示的に示されていない他のノードやデバイスを含みうることは理解されるべきである。
【００２６】
ＷＤ１６−１が基地局２０−１／セル２２−１とのセルラ接続を有し、かつ、セル２２−１に関連付けられたサイドリンクタイミングおよびリソース設定を用いてサイドリンク通信を実行しているという非限定的な例示的シナリオを考える。本明細書における例示的な実施の形態によると、セル２２−２へのＷＤ１６−１のハンドオーバの前に、またはそれに併せて、基地局２０−１はＷＤ１６−１にサイドリンク設定情報を送信する。サイドリンク設定情報はセル２２−２に関連付けられたサイドリンク同期設定（サイドリンクタイミング）およびサイドリンクリソース設定を示す。ＷＤ１６−１は示された設定情報を用いることでサイドリンク同期プロセスを実行し、それによりセル２２−２に対するサイドリンク同期を取得する。サイドリンク同期プロセスを介してサイドリンク通信に関して同期されると、ＷＤ１６−１はセル２２−２に関連付けられたサイドリンクリソースおよびタイミングを用いてサイドリンク通信を再開または開始する。
【００２７】
そのような動作によると、ＷＤ１６−１は、ＷＤ１６−１がセル２２−２に対するセルラハンドオーバ処理を完了したか否かに関わらず、セル２２−２に関連付けられたタイミングおよびリソースを用いてサイドリンク通信を開始または再開するので、有利である。例えば、ＷＤ１６−１は、セルラ同期を取得できるよりも早期にサイドリンク同期を取得することができる。セルラ同期は、ダウンリンクのセルラ同期信号を用いたセル同期とセル２２−２への接続のためのシステム情報（ＳＩ）の取得とを含む。より広くは、ＷＤ１６−１は、依然としてセルラ的意味でセル２２−１に担当されている間においても、または少なくともセル２２−２へのセルラハンドオーバが完了する前に、セル２２−２のサイドリンクタイミングおよびリソース設定を用いてサイドリンク通信を行うことができる。
【００２８】
図２は、他のＷＤ１６−２とのサイドリンク通信に関わっているＷＤ１６−１が関与する、そのような処理の例示的な実施の形態を示す。ターゲット無線ネットワークノード（ＲＮＮ）２０−２はソースＲＮＮ２０−１にサイドリンク設定情報を送信する。サイドリンク設定情報は、例えば、ターゲットＲＮＮ２０−２に関連付けられたターゲットセル２２−２においてサイドリンク通信に割り当てられているリソースの設定を示すサイドリンクリソース設定情報を含む。サイドリンク設定情報はまた、ターゲットセル２２−２のサイドリンク同期設定情報を含んでもよい。この情報は、サイドリンク通信をターゲットセル２２−２へ同期させるために用いられる時刻ベースまたは基準を示してもよい。
【００２９】
ソースＲＮＮ２０−１はソースセル２２−１に関連付けられる。ＷＤ１６−１がソースＲＮＮ２０−１／ソースセル２２−１からターゲットＲＮＮ２０−２／ターゲットセル２２−２へハンドオーバされることが想定されてもよい。また、そのようなハンドオーバは、ＷＤ１６−１が別のＷＤ１６−２とのサイドリンク通信に関わっている間に生じることが想定されてもよい。ハンドオーバが行われる前、サイドリンク通信はソースセルのリソースおよびタイミング同期を用いる。ソースＲＮＮ２０−１およびターゲットＲＮＮ２０−２がそれぞれ例えば対応するセルに関連付けられたｅＮＢであってもよいことは理解されるべきである。
【００３０】
ＷＤ１６−１は、例えばＷＤ１６−１の「サービング」ノードとしてのＲＮＮ２０−１とのセルラ接続を有する。ソースＲＮＮ２０−１はそのセルラ接続を用いることで、ＷＤ１６−１に、ターゲットセル２２−２のサイドリンク設定情報を提供してもよい。これは例えば、ＷＤ１６−１にサイドリンクリソース設定情報およびサイドリンク同期設定情報を送信することによってなされる。図２はそのような情報がハンドオーバシグナリングとは別個に、例えばＲＮＮ２０−１からＷＤ１６−１へ送信されるハンドオーバシグナリングの前に、送信されるものである可能性を示唆しているが、そのようなシグナリングがハンドオーバシグナリングの中で運ばれてもよいことは理解されるべきである。より広くは、ソースＲＮＮ２０−１はＷＤ１６−１をソースセル２２−１からターゲットセル２２−２へハンドオーバすることに併せて、ターゲットセル２２−２のサイドリンク設定情報を送信する。そのようなハンドオーバ動作は、ソースＲＮＮ２０−１がターゲットＲＮＮ２０−２およびＷＤ１６−１にハンドオーバシグナリングを送信することを含む。
【００３１】
ＷＤ１６−１は、ソースＲＮＮ２０−１から受信したターゲットＲＮＮ２０−２／ターゲットセル２２−２の同期設定情報を用いて、ターゲットセル２２−２とのサイドリンク同期を取得し、ターゲットセルのリソースおよび同期を用いて他のＷＤ１６−２とのサイドリンク通信を再開する。この例では、そのような再開はセルラハンドオーバプロセスの完了の前に生じる。セルラハンドオーバプロセスは、ＷＤ１６−１がターゲットＲＮＮ２０−２に対してセルラ的な意味で同期することと、ターゲットＲＮＮ２０−２のシステム情報を取得することと、ターゲットＲＮＮ２０−２とのセルラ接続を確立するための無線リソースコントロール（ＲＲＣ）再設定を実行することと、を含む。
【００３２】
図３は、ＷＤ１６と無線ネットワークノード２０とコアネットワーク（ＣＮ）ノード２４との例示的な実施の形態を示す。ＬＴＥの例では、無線ネットワークノード２０はｅＮＢであってもよく、ＣＮノード２４はモビリティ管理エンティティ（ＭＭＥ）やオペレーションアンドメンテナンス（ＯＡＭ）ノード等であってもよい。
【００３３】
無線ネットワークノード２０は通信回路３０と処理回路３２とストレージ３４とを備える。通信回路３０は、ひとつ以上のＷＤ１６、ひとつ以上のＣＮノードおよびひとつ以上の他の無線ネットワークノード２０と通信するよう構成された通信インタフェース回路を備え、そのような回路は個別のインタフェースを含む。例えば、通信回路３０は、ＷＤ１６と通信するための受信回路（ＲＸ）および送信回路（ＴＸ）を関連送受信処理回路と共に有する送受信機などのひとつ以上のセルラ無線回路を含む。さらに、通信回路３０は、ＣＮノード２４と通信するためのＳ１インタフェースなどのネットワーク通信インタフェースを含む。
【００３４】
処理回路３２は、固定回路またはプログラム回路もしくは固定回路とプログラム回路との混合を備える。例示的な実施の形態では、処理回路３２は、ひとつ以上のマイクロプロセッサベースの回路、または、ひとつ以上のＤＳＰベース、ＦＰＧＡベースあるいはＡＳＩＣベースの回路、または、それらの任意の組み合わせを含む。特定の例では、処理回路３２は、コンピュータプログラム３６を含むコンピュータプログラムインストラクションの実行を介して、本明細書で開示される無線ネットワークノード方法にしたがい動作するよう特に適合されているか、そうでなければそのように構成される。処理回路３２はさらに、ストレージ３４を介して、そのような動作に関連付けられた設定データ３８の種々のアイテムを使用および／または格納してもよい。
【００３５】
ストレージ３４は、ソリッドステートストレージやディスクストレージなどのいずれかひとつまたは複数を備え、揮発性作業メモリおよび不揮発性プログラムおよびデータストレージの両方を提供してもよい。したがって、ストレージ３４は、メモリやストレージ回路やデバイスタイプの組み合わせを含んでもよい。非限定的な例は、ＳＲＡＭ、ＤＲＡＭ、ＦＬＡＳＨ、ＥＥＰＲＯＭおよびソリッドステートディスク（ＳＳＤ）ストレージのいずれかひとつまたは複数を含む。
【００３６】
いずれの場合でも、ひとつ以上の実施の形態では、ストレージ３４がコンピュータプログラム３６を保持する非一時的コンピュータ可読媒体を含み、無線ネットワークノード２０の処理回路が該コンピュータプログラム３６を実行することで、処理回路３２が本明細書の教示にしたがうよう設定されることは理解されるべきである。本明細書で用いられる場合、非一時的は永続的や不変的を必ずしも意味せず、しかしながら少なくともある持続性を有するストレージを示す。
【００３７】
無線ネットワークノード２０はまた、例えばＧＮＳＳタイミングに基づいてサイドリンク通信をそのリソースに対して同期させるための、グローバルナビゲーションサテライトシステム（ＧＮＳＳ）タイミング回路３９を含んでもよい。あるいはまた、無線ネットワークノード２０はネットワーク１０内の他のノードからＧＮＳＳタイミングを受信してもよい。
【００３８】
同様に、ＷＤ１６は通信回路４０と処理回路４２とストレージ４４とを備える。例えば、通信回路４０は、受信回路（ＲＸ）および送信回路（ＴＸ）を関連送受信処理回路と共に有する送受信機などのひとつ以上のセルラ無線回路を含む。通信回路４０はまた、例えば近距離通信やＷｉＦｉやブルートゥースなどのための他のタイプの通信インタフェース回路を含んでもよい。
【００３９】
処理回路４２は、固定回路またはプログラム回路もしくは固定回路とプログラム回路との混合を備える。例示的な実施の形態では、処理回路４２は、ひとつ以上のマイクロプロセッサベースの回路、または、ひとつ以上のＤＳＰベース、ＦＰＧＡベースあるいはＡＳＩＣベースの回路、または、それらの任意の組み合わせを含む。
【００４０】
特定の例では、処理回路４２は、コンピュータプログラム４６を含むコンピュータプログラムインストラクションの実行を介して、本明細書で開示されるデバイス側のシグナリングおよび動作を実行するよう特に適合されているか、そうでなければそのように構成される。処理回路４２はさらに、ストレージ４４を介して、そのような動作に関連付けられた設定データ４８の種々のアイテムを使用および／または格納してもよい。
【００４１】
ストレージ４４は、ソリッドステートストレージやディスクストレージなどのいずれかひとつまたは複数を備え、揮発性作業メモリおよび不揮発性プログラムおよびデータストレージの両方を提供してもよい。したがって、ストレージ４４は、メモリやストレージ回路やデバイスタイプの組み合わせを含んでもよい。非限定的な例は、ＳＲＡＭ、ＤＲＡＭ、ＦＬＡＳＨ、ＥＥＰＲＯＭおよびソリッドステートディスク（ＳＳＤ）ストレージのいずれかひとつまたは複数を含む。ひとつ以上の実施の形態では、ストレージ４４がコンピュータプログラム４６を保持する非一時的コンピュータ可読媒体を含み、ＷＤ１６の処理回路４２が該コンピュータプログラム４６を実行することで、処理回路４２が本明細書の教示にしたがうよう設定されることは理解されるべきである。
【００４２】
ＣＮノード２４は通信回路６０と処理回路６２とストレージ６４とを備える。通信回路６０は、ひとつ以上の無線ネットワークノード２４および潜在的に同じタイプのまたは異なるタイプのひとつ以上の他のＣＮノードと通信するよう構成された通信インタフェース回路を備える。通信回路６０は、したがって、無線ネットワークノード２０と通信するためのＳ１インタフェースなどの別個のインタフェースと、他のタイプのノードと通信するためのひとつ以上の他のタイプのインタフェースと、を備えてもよい。
【００４３】
処理回路６２は、固定回路またはプログラム回路もしくは固定回路とプログラム回路との混合を備える。例示的な実施の形態では、処理回路６２は、ひとつ以上のマイクロプロセッサベースの回路、または、ひとつ以上のＤＳＰベース、ＦＰＧＡベースあるいはＡＳＩＣベースの回路、または、それらの任意の組み合わせを含む。特定の例では、処理回路６２は、コンピュータプログラム６６を含むコンピュータプログラムインストラクションの実行を介して、本明細書で開示されるＣＮノード方法にしたがい動作するよう特に適合されているか、そうでなければそのように構成される。処理回路６２はさらに、ストレージ６４を介して、そのような動作に関連付けられた設定データ６８の種々のアイテムを使用および／または格納してもよい。
【００４４】
ストレージ６４は、ソリッドステートストレージやディスクストレージなどのいずれかひとつまたは複数を備え、揮発性作業メモリおよび不揮発性プログラムおよびデータストレージの両方を提供してもよく、したがってメモリやストレージ回路やデバイスタイプの組み合わせを含んでもよい。非限定的な例は、ＳＲＡＭ、ＤＲＡＭ、ＦＬＡＳＨ、ＥＥＰＲＯＭおよびソリッドステートディスク（ＳＳＤ）ストレージのいずれかひとつまたは複数を含む。
【００４５】
ひとつ以上の実施の形態では、ストレージ６４がコンピュータプログラム６６を保持する非一時的コンピュータ可読媒体を含み、ＣＮノード２４の処理回路６２が該コンピュータプログラム６６を実行することで、処理回路６２が本明細書の教示にしたがうよう設定される。本明細書で用いられる場合、非一時的は永続的や不変的を必ずしも意味せず、しかしながら少なくともある持続性を有するストレージを示す。
【００４６】
図４は、無線通信ネットワーク１０において動作するよう構成されたＷＤ１６の動作方法４００のある実施の形態を示す。方法４００は、無線通信ネットワーク１０の第２セル２２−２についてのサイドリンク設定情報を受信すること（ブロック４０２）であって、サイドリンク設定情報が第２セル２２−２に関連付けられたサイドリンクリソースおよびサイドリンクタイミングを示す、受信することを含む。さらに、方法は、無線通信ネットワーク１０の第１セル２２−１から第２セル２２−２への無線デバイス１６のセルラハンドオーバを示すハンドオーバシグナリングを受信すること（ブロック４０４）と、それに応じて：第２セル２２−２に関するセルラ同期を取得することを含む、第２セル２２−２に関するセルラハンドオーバプロセスを実行し（ブロック４０８）、第２セル２２−２に関するサイドリンクタイミング同期を取得することを含む、第２セル２２−２に関するサイドリンク同期プロセスを実行し（ブロック４１０）、サイドリンク同期プロセスを介して第２セル２２−２に関してサイドリンク同期が得られると、かつ、セルラハンドオーバプロセスが完了したか否かに関わらず、第２セル２２−２に関連付けられたサイドリンクリソースおよびサイドリンクタイミングを用いてサイドリンク通信を再開または開始することと、を含む。ハンドオーバシグナリングが受信されない場合（ブロック４０４からのＮＯ）、ＷＤ１６は実行中の動作を継続する（ブロック４０６）。ここで、図２のコンテキストで議論されたように、第１セル２２−１および第２セル２２−２は「ソース」セルおよび「ターゲット」セルであってもよい。
【００４７】
ハンドオーバのコンテキストにおいて、第２セル２２−２に関連付けられたサイドリンクリソースおよびサイドリンクタイミングを用いてサイドリンク通信を再開することは、第１セル２２−１に関連付けられたサイドリンクリソースおよびサイドリンクタイミングに従い以前に行われたサイドリンク通信を再開することを含む。例示的な実施の形態またはシナリオにおいて、第２セル２２−２のサイドリンクタイミングは、第２セル２２−２におけるセルラ同期のために用いられるダウンリンクタイミング基準とは異なるサイドリンクタイミング基準を用いる。そのような場合、サイドリンク同期プロセスはサイドリンクタイミング基準を用い、セルラ同期プロセスはダウンリンクタイミング基準を用いる。
【００４８】
少なくともひとつの場合または実施の形態では、第２セル２２−２のサイドリンクタイミング基準はＧＮＳＳタイミング基準を含み、ダウンリンクタイミング基準は、プライマリ同期信号（ＰＳＳ）やセカンダリ同期信号（ＳＳＳ）などの第２セル２２−２で伝送されるひとつ以上のダウンリンク同期信号を含む。したがって、ＷＤ１６は第２セル２２−２に関連付けられたサイドリンクリソースを用いて行われるサイドリンク通信について、ＧＮＳＳタイミング基準に対して同期し、第２セル２２−２に対して行われるセルラ通信について、ダウンリンク同期信号に対して同期する。
【００４９】
さらに別の実施の形態または例示的ケースでは、第２セル２２−２についてのサイドリンク設定情報を受信すること（ブロック４０２）は、第１セル２２−１とのセルラ接続を介して第２セル２２−２についてのサイドリンク設定情報を受信することを含む。例えば、第１セル２２−１に関連付けられた無線ネットワークノード２０は、セル２２−２へのＷＤ１６のハンドオーバの前に、またはそれに併せて、第２セル２２−２についてのサイドリンク設定情報を提供する。
【００５０】
補足的な例示的実施の形態では、ＷＤ１６は、方法４００、またはその変形例および拡張を実行するよう構成される。図３を少し参照すると、例示的なＷＤ１６は通信回路４０と処理回路４２とを含む。通信回路４０は、無線通信ネットワーク１０においてセルラ接続を介して無線ネットワークノード２０と通信するよう、かつ、サイドリンク接続を介して他のＷＤ１６またはノード７０と通信するよう構成される。さらに、処理回路４２は通信回路４０に動作可能に関連付けられ、処理回路４２は、無線通信ネットワーク１０の第２セル２２−２についてのサイドリンク設定情報を受信することであって、サイドリンク設定情報が第２セル２２０２に関連付けられたサイドリンクリソースおよびサイドリンクタイミングを示す、受信することと、無線通信ネットワーク１０の第１セル２２−１から第２セル２２−２への無線デバイス１６のセルラハンドオーバを示すハンドオーバシグナリングを受信することと、を行うよう構成される。処理回路４２は、第２セル２２−２に関するセルラ同期を取得することを含む、第２セル２２−２に関するセルラハンドオーバプロセスを実行し、第２セル２２−２に関するサイドリンク同期プロセスを実行することにより、ハンドオーバシグナリングに応答するよう構成される。サイドリンク同期プロセスは、第２セル２２−２に関するサイドリンクタイミング同期を取得することを含む。ＷＤ１６は、サイドリンク同期プロセスを介して第２セル２２−２に関してサイドリンク同期が得られると、かつ、セルラハンドオーバプロセスが完了したか否かに関わらず、第２セル２２−２に関連付けられたサイドリンクリソースおよびサイドリンクタイミングを用いてサイドリンク通信を再開または開始する。
【００５１】
補足のネットワーク側動作に関して、図５は、無線通信ネットワーク１０において動作するよう構成された無線ネットワークノード２０の動作方法５００のある実施の形態を示す。方法５００は、無線ネットワークノード２０によって設けられる第１セル２２−１の隣の第２セル２２−２についてのサイドリンク設定情報を決定すること（ブロック５０２）を含む。サイドリンク設定情報は第２セル２２−２についてのサイドリンクリソース設定と第２セル２２−２についてのサイドリンク同期設定とを示す。例示的な実施の形態では、無線ネットワークノード２０は、第２セル２２−２に関連付けられたノードなどの他の無線ネットワークノード２０からサイドリンク設定情報を受信することに基づいて、サイドリンク設定情報を取得する。別の代替例では、無線ネットワークノード２０はＣＮ１４内のノードからサイドリンク設定情報を受信する。
【００５２】
いずれの場合でも、方法５００はさらに、無線ネットワークノード２０が、第１セル２２−１とのセルラ接続を有するＷＤ１６にサイドリンク設定情報を送信すること（ブロック５０４）を含む。ＷＤ１６へのサイドリンク設定情報の送信は、第１セル２２−１から第２セル２２−２へのＷＤ１６のセルラハンドオーバの前に、またはそれに併せて生じる。サイドリンク設定情報により、ＷＤ１６は、示されたサイドリンク同期設定を用いて第２セル２２−２に関するサイドリンクタイミング同期を取得することができる。
【００５３】
ＷＤ１６にサイドリンク設定情報を送信すること（ブロック５０４）は、例えば、第２セル２２−２によって用いられるダウンリンクタイミング基準とは異なるサイドリンクタイミング基準を第２セル２２−２が用いることを示すものを送信することを含む。同じ例示的ケースまたは実施の形態では、または別の例示的ケースあるいは実施の形態では、ＷＤ１６にサイドリンク設定情報を送信すること（ブロック５０４）は、サイドリンクタイミングのためにＧＮＳＳタイミング基準を第２セル２２−２が用いることを示すものを無線ネットワークノード２０が送信することを含む。そのような実施の形態は、低いシグナリングオーバヘッドの利点を提供しつつ、第２セル２２−２に対するサイドリンク同期を得るのに十分な情報をＷＤ１６に提供するための効率的なメカニズムを示す。
【００５４】
いずれの場合でも、サイドリンク設定情報は、例えばＲＲＣシグナリングを用いて無線ネットワークノード２０からＷＤ１６へ送信可能である。その情報は、無線ネットワークノード２０によってＷＤ１６へ送信されるハンドオーバシグナリングの前に送信されてもよく、またはそのようなハンドオーバシグナリングに併せて送信されてもよい。少なくともひとつの実施の形態では、ハンドオーバシグナリングはサイドリンク設定情報を含む。さらに、ひとつ以上の実施の形態では、無線ネットワークノード２０は、ＷＤ１６のセルラハンドオーバを開始するという決定およびＷＤ１６がハンドオーバを行う蓋然性が高いという判定のうちの少なくともひとつに応じて、ＷＤ１６にサイドリンク設定情報を送信するよう決定する。ＷＤ１６がハンドオーバを行う蓋然性が高いという判定の一例として、無線ネットワークノード２０は、ＷＤ１６の現在位置、ＷＤ１６の移動の向き、およびひとつ以上のセル２２に関するＷＤ１６における受信条件のうちのいずれかひとつまたは複数の関数として、ＷＤ１６がハンドオーバを行いそうであると判定する。
【００５５】
補足的な例示的実施の形態では、無線ネットワークノード２０は、方法５００、またはその変形例および拡張を実行するよう構成される。図３を少し参照すると、例示的な無線ネットワークノード２０は無線通信ネットワーク１０において動作するよう構成され、通信回路３０と処理回路３２とを含む。通信回路３０は、無線デバイスと通信するよう構成された送受信回路を含み、処理回路３２は、通信回路３０と動作可能に関連付けられる。
【００５６】
より具体的には、処理回路３２は、無線通信ネットワーク１０の第２セル２２−２であって無線ネットワークノード２０によって設けられる第１セル２２−１の隣の第２セル２２−２、についてのサイドリンク設定情報を取得するよう構成される。サイドリンク設定情報は第２セル２２−２についてのサイドリンクリソース設定と第２セル２２−２についてのサイドリンク同期設定とを示す。処理回路３２はさらに、第１セル２２−１とのセルラ接続を有するＷＤ１６にサイドリンク設定情報を送信するよう構成される。サイドリンク設定情報の送信は、第１セル２２−１から第２セル２２−２へのＷＤ１６のセルラハンドオーバの前に、またはそれに併せて生じる。そのような情報により、ＷＤ１６は第２セル２２−２に関するサイドリンクタイミング同期を取得することができる。
【００５７】
一例では、処理回路３２は、第２セル２２−２についてのサイドリンク設定情報を、例えばノード間通信インタフェースシグナリングを介して他の無線ネットワークノード２０からそのような情報や関連情報を受信することに基づいて、決定する。あるいはまた、無線ネットワークノード２０はＣＮ１４内の他のノードやＯＡＭノードからそのような情報を受信する。さらに、一例では、無線ネットワークノード２０は、フラグや情報要素や第２セル２２−２におけるサイドリンク同期のためにＷＤ１６によって用いられるべきタイミング基準またはベースを示す他のデータアイテムの形で、サイドリンク同期設定情報を送信する。例えば、無線ネットワークノード２０は、第２セル２２−２がサイドリンク通信のためにＧＮＳＳベースのタイミングを用いることを示すものを送信する。
【００５８】
本明細書におけるいくつかの例はセルラネットワークリソースを用いるＶ２Ｘ／ＩＴＳトラフィックを含むが、本明細書の教示が同様の特性を伴う任意のトラフィックに適用可能であることは理解されるであろう。さらに、本明細書の教示に付随する利点を理解するために、「レガシー」または従来のセルラハンドオーバが以下のステップを含むことを考える：（１）ＨＯ再設定コマンドメッセージの一部として、ソース無線ネットワークノード２０、例えばｅＮＢ、はターゲットセルにおいて用いられるべきデバイス特定的リソース設定をシグナルしてもよく、（２）ＷＤ１６、例えばＵＥ、はＨＯ手順を開始してサイドリンク動作を停止し、（３）ＵＥはターゲットセル用の同期を取得してシステム情報を読み、（４）ＵＥはターゲットセルにおいてサイドリンク動作を再開する。したがって、従来、ＵＥがターゲットセル用の同期およびシステム情報を取得する間に、ある、潜在的に顕著なサービス中断が存在する。
【００５９】
本明細書の教示は、セルラハンドオーバプロセスからのサイドリンク通信再開の「切り離し（decoupling）」として理解可能であり、適切に設定されたＵＥへのシグナリングの提供を含む。シグナリングはターゲットセル用のサイドリンクタイミングおよびリソースを示し、ＵＥのターゲットセルへのセルラハンドオーバが完了したか否かに関わらず、ＵＥがサイドリンク通信に関してターゲットセルと同期し、ターゲットセルのリソースを用いてサイドリンク通信を開始または再開できるようにする。
【００６０】
ＵＥへのシグナリングは、例えば、ターゲットセルにおいて用いられるべきサイドリンクリソースの設定を含む。そのようなシグナリングにおいて、所定のＵＥについて特定的でない共通サイドリンクリソースが示されてもよい。シグナリングはさらに、ターゲットセルにおいて用いられるべき同期設定を含む。例えば、異なるセル（ｅＮＢ）は、デバイスを、異なる同期ソースに異なる態様で優先順位を付けるよう設定してもよい。一例では、ｅＮＢは、そのカバレッジにいるＵＥを、例えばＧＮＳＳ信号から導出される所定のＵＴＣタイミングに従うよう設定する。他の例では、ｅＮＢは、そのカバレッジにいるＵＥを、例えばダウンリンク信号から導出されるセルラタイミングに従うよう設定する。
【００６１】
上述の情報は、ＨＯの前に、ｅＮＢと潜在的に他のＮＷノードとの間で交換される必要がある。その目的のために、例えばＯＡＭや無線ネットワークにおける他の専用手順を含む、任意のインタフェース（例えば、Ｘ２）を用いる任意のプロトコルが用いられてもよい。
【００６２】
Ｘ２ＡＰについて、割り当てられたクリティカリティ「無視（ignore）」を伴うオプションＩＥをLOAD INFORMATIONメッセージに追加することで、送信ｅＮＢによって担当されているひとつ以上のセルについての上述の情報を運ぶことができる。規格化されたＸ２ＡＰメッセージの代わりに私的メッセージを用いることによっても、同じことを達成することができる。
【００６３】
しかしながら、ｅＮＢの集団の同期設定は時間的に頻繁に変わる蓋然性が低いものであり、したがってネットワークインタフェースを介してこのタイプの情報を交換することの利点は不明であり、この点でＯＡＭを介した調整が有利な動作を提供しうることは言及に値する。
【００６４】
少なくともある実施の形態では、本明細書の教示のさらなる態様は、サイドリンク通信を行うための新たなＵＥ手順である。ここで、「サイドリンク通信」は送信および／または受信の任意の組み合わせを指す。特に、上述のシグナリングで説明されたＲＲＣサイドリンク再設定を受信した後、ＵＥは：（１）ソースセルによってＵＥへ送信されるＨＯコマンドメッセージであってターゲットセル情報を含むＨＯコマンドメッセージによって示されるプロトコル／優先度／設定にしたがって同期基準を取得し、（２）依然としてソースセルによって担当されている間に、ターゲットセル用のサイドリンクリソース設定を用いてサイドリンク動作を開始する。サイドリンクリソース設定は、ＵＥによって自発的に選択されるべきリソースのプールまたはｅＮＢが選択したリソース割り当てのいずれかを含んでもよい。
【００６５】
ターゲットセルのサイドリンクリソースは、ハンドオーバの継続期間中のみ使用可能である。すなわち、RRCConnectionReconfigurationCompleteをトリガするまでか、またはハンドオーバ実行中に無線リンク失敗（ＲＬＦ）が宣言されるまで使用可能である。あるいはまた、サイドリンクリソースは、ターゲットｅＮＢからのさらなる通知（すなわち、専用シグナリングまたはＰＤＣＣＨ上の動的付与のいずれかを介して提供される新たなリソース設定）について、またはＲＬＦが宣言される場合に使用可能である。そのようなＵＥ動作は規格実装によって要求されてもよいし、私的フィーチャとして実装に任せられてもよい。
【００６６】
本明細書で開示される実施の形態のひとつ以上は、セル選択／再選択のために、アイドルモードＵＥおよび接続モードＵＥの両方によって使用可能である。ターゲットセルにおいて用いられるべきサイドリンクリソースはまた、ソースセルからの報知シグナリング（例えば、システム情報ブロックまたはＳＩＢ報知）を介して取得可能である。無論、実施の形態の全てがそのようなシグナリングを用いる必要はない。しかしながら、そうである実施の形態では、ソースセルのＳＩＢシグナリングは、少なくともセル選択／再選択手順（アイドルモードにあるＵＥのためのもの）の完了またはハンドオーバ（接続モードにあるＵＥのためのもの）の完了またはＲＬＦ（接続モードにあるＵＥのためのもの）までは、ＵＥによって用いられるべきリソース設定を運ぶ。
【００６７】
そのようなＳＩＢシグナリングは、リソース設定と共に、そのリソース設定が適用される先のセルのセルＩＤをも運んでもよい。セルＩＤは、（例えばＰＳＳ／ＳＳＳ取得から）ＵＥに既知であることが想定される。ＵＥがターゲットセルに向けたセル選択／再選択やハンドオーバを行うとき、対応するリソース設定が用いられる。ＳＩＢを介したリソース設定の取得は、ハンドオーバのトリガの前（例えば、測定報告のトリガの後）またはセル選択／再選択を行う前に、ＵＥによってなされてもよい。
【００６８】
他の実施の形態では、ＵＥはハンドオーバを行う際またはセル選択／再選択を行う際、予め設定されたリソースを用いる。予め設定されたリソースの使用は、ハンドオーバコマンドによってまたはセル選択／再選択手順の開始によってトリガされる。
【００６９】
上記に照らし、ＵＥとセルラネットワークとの間のＵｕインタフェース（セルラリンク）に関連付けられた考察と同様に、ＰＣ５通信に関わるＵＥはハンドオーバを行う際にレイテンシの影響を受ける。従来のアプローチにしたがうＰｒｏＳｅを見ると、ハンドオーバコマンドの後に実行中のＰＣ５セッションを続ける前のＵＥは、ターゲットセルが、モード１およびモード２リソース割り当てをそれぞれ示すＰＤＣＣＨ上のＤ２Ｄ付与または（接続モードにある場合には）専用シグナリングを送信するのを待つ必要がある。本開示は、ＰＣ５通信に関わるＵＥのセルラハンドオーバに関連付けられたＰＣ５サービス中断を除去するか少なくとも実質的に低減するための種々の例示的方法および装置を提供する。
【００７０】
接続モードにあるＵＥについて、ターゲットセルＰＣ５リソースは、ターゲットセルにおける同期設定に付いての情報と共に、（セルラ）ハンドオーバコマンドを介して移送可能である。例えば、ターゲットセルがサイドリンクについてＧＮＳＳベースの同期を使用する場合、ＵＥは、ハンドオーバ動作中に実質的に中断されることなくＰＣ５動作を続けることができる。したがって、本明細書で提示されるひとつの解は、ハンドオーバコマンドを介してＵＥに、ターゲットセルのＰＣ５同期設定と共にターゲットセルのＰＣ５リソースをシグナリングすることを含む。
【００７１】
そのような情報はまた、ハンドオーバコマンドの前に、例えばハンドオーバ決定がなされたか開始されたとの判定に応じて、またはハンドオーバが生じそうであるとの判定に応じて、送信されてもよい。いずれの場合でも、ＵＥはシグナリングされた情報を用いることで、ＨＯ中のサイドリンク動作の中断を回避または最小化する。少なくとも、ソースセルおよびターゲットセルが同じＧＮＳＳ同期基準を用いる場合、それを示すものをＵＥにシグナリングすることで、ＵＥは、ソースセルからターゲットセルへハンドオーバされることに伴うサイドリンク通信の中断を避けることができる。言い換えると、ターゲットセルのサイドリンク同期設定情報をＵＥへシグナリングすることの一例は、ターゲットセルがソースセルで使用されているものと同じサイドリンク通信用タイミング基準またはベースを使用することをＵＥに示すものを送信することを含む。より広くは、ターゲットセルのサイドリンク同期設定情報をＵＥへ送信することは、ターゲットセルにおいてリソースを使用する際のサイドリンク通信の同期のためのタイミング基準を示す、フラグや情報や他のインジケータを送信することを含んでもよい。
【００７２】
特に、上述の説明および添付の図面に提示される教示の利点を有する開示された発明の変形例や他の実施の形態は、当業者には明らかであろう。したがって、発明は開示される特定の実施の形態に限定されるものではなく、変形例や他の実施の形態は本開示の範囲内に含まれることが意図されていることは理解されるであろう。本明細書で具体的な用語が用いられたが、それらは概括的なものおよび説明的なものとしてのみ使用されるのであって、限定を目的としていない。
【００７３】
略語
３Ｇ  第三世代携帯電話通信技術
ＢＳＭ  基本安全メッセージ
ＢＷ  帯域幅
ＣＡＭ  協調認識メッセージ
ＤＰＴＦ  データパケット伝送フォーマット
Ｄ２Ｄ  デバイス間通信
ＤＥＮＭ  分散型環境通報メッセージ
ＤＳＲＣ  専用短距離通信
ｅＮＢ  eNodeB
ＥＴＳＩ  欧州電話通信標準化協会
ＬＴＥ  ロングタームエボリューション
ＮＷ  ネットワーク
ＲＳ  基準信号
ＴＦ  トランスポートフォーマット
ＳＡＥ  Society of the Automotive Engineers
ＵＥ  ユーザ装置
Ｖ２Ｉ  車両対インフラ
Ｖ２Ｐ  車両対歩行者
Ｖ２Ｖ  車両間通信
Ｖ２ｘ  車両対想像しうる任意のもの
ｗｒｔ  に関して
ＳＰＳ  準永続スケジューリング
ＤＭＲＳ  復調基準信号
ＯＣＣ  直交カバーコード
ＨＯ  ハンドオーバ
ＳＩＢ  システム情報ブロック
ＲＬＦ  無線リンク失敗
３ＧＰＰ  第三世代パートナーシッププロジェクト
ＲＲＣ  無線リソースコントロール
ＰＤＣＣＨ  物理ダウンリンクコントロールチャネル
ＰＳＳ  プライマリ同期信号
ＳＳＳ  セカンダリ同期信号
【図１】
2019507979.tif 000003
【図２】
2019507979.tif 000004
【図３】
2019507979.tif 000005
【図４】
2019507979.tif 000006
【図５】
2019507979.tif 000007
【手続補正書】
【提出日】平成30年8月31日(2018.8.31)
【手続補正１】
【補正対象書類名】特許請求の範囲
【補正対象項目名】全文
【補正方法】変更
【補正の内容】
【特許請求の範囲】
【請求項１】
無線通信ネットワーク（１０）において動作するよう構成された無線デバイス（１６）における動作方法（４００）であって、前記方法（４００）は、
前記無線通信ネットワーク（１０）の第２セル（２２−２）についてのサイドリンク設定情報を受信すること（４０２）であって、前記サイドリンク設定情報が前記第２セル（２２−２）に関連付けられたサイドリンクリソースおよびサイドリンクタイミングを示す、受信すること（４０２）と、
前記無線通信ネットワーク（１０）の第１セル（２２−１）から前記第２セル（２２−２）への前記無線デバイス（１６）のセルラハンドオーバを示すハンドオーバシグナリングを受信すること（４０４）と、それに応じて：
前記第２セル（２２−２）に関するセルラ同期を取得することを含む、前記第２セル（２２−２）に関するセルラハンドオーバプロセスを実行し（４０８）、
前記第２セル（２２−２）に関するサイドリンクタイミング同期を取得することを含む、前記第２セル（２２−２）に関するサイドリンク同期プロセスを実行し（４１０）、前記サイドリンク同期プロセスを介して前記第２セル（２２−２）に関してサイドリンク同期が得られると、かつ、前記セルラハンドオーバプロセスが完了したか否かに関わらず、前記第２セル（２２−２）に関連付けられた前記サイドリンクリソースおよび前記サイドリンクタイミングを用いてサイドリンク通信を再開または開始することと、を含む方法（４００）。
【請求項２】
無線通信ネットワーク（１０）において動作するよう構成された無線デバイス（１６）であって、前記無線デバイス（１６）は、
前記無線通信ネットワーク（１０）においてセルラ接続を介して無線ネットワークノード（２０）と通信するよう、かつ、サイドリンク接続を介して他の無線デバイス（１６）またはノード（７０）と通信するよう構成された通信回路（４０）と、
前記通信回路（４０）に動作可能に関連付けられた処理回路（４２）と、を備え、
前記処理回路（４２）は、
前記無線通信ネットワーク（１０）の第２セル（２２−２）についてのサイドリンク設定情報を受信することであって、前記サイドリンク設定情報が前記第２セル（２２−２）に関連付けられたサイドリンクリソースおよびサイドリンクタイミングを示す、受信することと、
前記無線通信ネットワーク（１０）の第１セル（２２−１）から前記第２セル（２２−２）への前記無線デバイス（１６）のセルラハンドオーバを示すハンドオーバシグナリングを受信することと、それに応じて：
前記第２セル（２２−２）に関するセルラ同期を取得することを含む、前記第２セル（２２−２）に関するセルラハンドオーバプロセスを実行し、
前記第２セル（２２−２）に関するサイドリンクタイミング同期を取得することを含む、前記第２セル（２２−２）に関するサイドリンク同期プロセスを実行し、前記サイドリンク同期プロセスを介して前記第２セル（２２−２）に関してサイドリンク同期が得られると、かつ、前記セルラハンドオーバプロセスが完了したか否かに関わらず、前記第２セル（２２−２）に関連付けられた前記サイドリンクリソースおよび前記サイドリンクタイミングを用いてサイドリンク通信を再開または開始することと、 を行うよう構成される無線デバイス（１６）。
【請求項３】
前記処理回路（４２）は、前記ハンドオーバシグナリングを受信する前に、前記第１セル（２２−１）に関連付けられたサイドリンクタイミングおよびサイドリンクリソースに従う前記サイドリンク通信を実行し、かつ、前記第２セル（２２−２）に関連付けられた前記サイドリンクタイミングおよび前記サイドリンクリソースに従う前記サイドリンク通信を再開するよう構成される請求項２に記載の無線デバイス（１６）。
【請求項４】
前記第２セル（２２−２）における前記サイドリンクタイミングは、前記第２セル（２２−２）に関するセルラ同期のために用いられるダウンリンクタイミング基準とは異なるサイドリンクタイミング基準を用い、前記処理回路（４２）は、前記サイドリンクタイミング基準を用いて前記サイドリンク同期プロセスを実行し、かつ、前記ダウンリンクタイミング基準を用いて前記セルラ同期プロセスを実行するよう構成される請求項２または３に記載の無線デバイス（１６）。
【請求項５】
前記サイドリンクタイミング基準はグローバルナビゲーションサテライトシステム（ＧＮＳＳ）のタイミング基準を含み、前記ダウンリンクタイミング基準は前記第２セル（２２−２）において伝送されるひとつ以上のダウンリンク同期信号を含む請求項４に記載の無線デバイス（１６）。
【請求項６】
前記処理回路（４２）は、前記無線デバイス（１６）と前記第１セル（２２−１）とのセルラ接続を介して前記第２セル（２２−２）についての前記サイドリンク設定情報を受信するよう構成される請求項２から５のいずれか一項に記載の無線デバイス（１６）。
【請求項７】
無線通信ネットワーク（１０）において動作するよう構成された無線ネットワークノード（２０）における動作方法（５００）であって、前記方法（５００）は、
前記無線通信ネットワーク（１０）の第２セル（２２−２）であって前記無線ネットワークノード（２０）によって設けられる第１セル（２２−１）の隣の第２セル（２２−２）についてのサイドリンク設定情報を取得すること（５０２）であって、前記サイドリンク設定情報が前記第２セル（２２−２）についてのサイドリンクリソース設定と前記第２セル（２２−２）についてのサイドリンク同期設定とを示す、取得すること（５０２）と、
前記第１セル（２２−１）から前記第２セル（２２−２）への前記無線デバイス（１６）のセルラハンドオーバの前に、またはそれに併せて、前記第１セル（２２−１）とのセルラ接続を有する無線デバイス（１６）に前記サイドリンク設定情報を送信すること（５０４）で、前記無線デバイス（１６）が前記第２セル（２２−２）に関するサイドリンクタイミング同期を取得することを可能とすることと、を含む方法（５００）。
【請求項８】
無線通信ネットワーク（１０）において動作するよう構成された無線ネットワークノード（２０）であって、前記無線ネットワークノード（２０）は、
無線デバイス（１６）と通信するよう構成された送受信回路を含む通信回路（３０）と、
前記通信回路（３０）に動作可能に関連付けられた処理回路（３２）と、を備え、
前記処理回路（４２）は、
前記無線通信ネットワーク（１０）の第２セル（２２−２）であって前記無線ネットワークノード（２０）によって設けられる第１セル（２２−１）の隣の第２セル（２２−２）についてのサイドリンク設定情報を取得することであって、前記サイドリンク設定情報が前記第２セル（２２−２）についてのサイドリンクリソース設定と前記第２セル（２２−２）についてのサイドリンク同期設定とを示す、取得することと、
前記第１セル（２２−１）から前記第２セル（２２−２）への前記無線デバイス（１６）のセルラハンドオーバの前に、またはそれに併せて、前記第１セル（２２−１）とのセルラ接続を有する無線デバイス（１６）に前記サイドリンク設定情報を送信することで、前記無線デバイス（１６）が前記第２セル（２２−２）に関するサイドリンクタイミング同期を取得することを可能とすることと、を行うよう構成される無線ネットワークノード（２０）。
【請求項９】
前記処理回路（３２）は、前記第２セル（２２−２）によって用いられるダウンリンクタイミング基準とは異なるサイドリンクタイミング基準を前記第２セル（２２−２）が用いることを示すものを送信することに少なくとも部分的に依存して、前記無線デバイス（１６）に前記サイドリンク設定情報を送信するよう構成される請求項８に記載の無線ネットワークノード（２０）。
【請求項１０】
前記処理回路（３２）は、サイドリンクタイミングのためにグローバルナビゲーションサテライトシステム（ＧＮＳＳ）のタイミング基準を前記第２セル（２２−２）が用いることを示すものを送信することに少なくとも部分的に依存して、前記無線デバイス（１６）に前記サイドリンク設定情報を送信するよう構成される請求項８または９に記載の無線ネットワークノード（２０）。
【請求項１１】
前記処理回路（３２）は、前記サイドリンク設定情報を送信することに続いて、前記セルラ接続を介して、前記無線デバイス（１６）にセルラハンドオーバシグナリングを送信するよう構成される請求項８から１０のいずれか一項に記載の無線ネットワークノード（２０）。
【請求項１２】
前記処理回路（３２）は、前記無線デバイス（１６）に向けて送信された無線リソースコントロール（ＲＲＣ）シグナリングを介して、前記サイドリンク設定情報を送信するよう構成される請求項８から１１のいずれか一項に記載の無線ネットワークノード（２０）。
【請求項１３】
前記処理回路（３２）は、前記無線デバイス（１６）の前記セルラハンドオーバを開始するという決定および前記無線デバイス（１６）がハンドオーバを行う蓋然性が高いという判定のうちの少なくともひとつに応じて、前記無線デバイス（１６）に前記サイドリンク設定情報を送信するよう構成される請求項８から１２のいずれか一項に記載の無線ネットワークノード（２０）。
【請求項１４】
前記処理回路（３２）は、前記無線デバイス（２５）の現在位置、前記無線デバイス（１６）の移動の向き、およびひとつ以上のセル（２２）に関する前記無線デバイス（１６）における受信条件のうちのいずれかひとつまたは複数の関数として、前記無線デバイス（１６）がハンドオーバを行う蓋然性を判定するよう構成される請求項１３に記載の無線ネットワークノード（２０）。
【請求項１５】
前記処理回路（３２）は、前記無線通信ネットワーク（１０）の他のノードから前記サイドリンク設定情報を受信することによって、前記第２セル（２２−２）についての前記サイドリンク設定情報を取得するよう構成される請求項８から１４のいずれか一項に記載の無線ネットワークノード（２０）。
【請求項１６】
前記他のノードは前記第２セル（２２-２）に関連付けられた無線ネットワークノード（２０）である請求項１５に記載の無線ネットワークノード（２０）。
【請求項１７】
インストラクションを備えるコンピュータプログラムであって、該インストラクションは無線デバイス（１６）の少なくともひとつのプロセッサによって実行された場合、前記無線デバイス（１６）に請求項１に記載の方法を実行させるコンピュータプログラム。
【請求項１８】
請求項１７に記載のコンピュータプログラムを含むキャリアであって、前記キャリアは電気信号、光学信号、無線信号、またはコンピュータ可読ストレージ媒体のうちのひとつであるキャリア。
【請求項１９】
インストラクションを備えるコンピュータプログラムであって、該インストラクションは無線ネットワークノード（２０）の少なくともひとつのプロセッサによって実行された場合、前記無線ネットワークノード（２０）に請求項７に記載の方法を実行させるコンピュータプログラム。
【請求項２０】
請求項１９に記載のコンピュータプログラムを含むキャリアであって、前記キャリアは電気信号、光学信号、無線信号、またはコンピュータ可読ストレージ媒体のうちのひとつであるキャリア。
【国際調査報告】
2019507979.tif 000008
2019507979.tif 000009
2019507979.tif 000010
2019507979.tif 000011